(57)【要約】 【課題】  書き写しミスなく、見映えが比較的よい状態で自己関連情報等を本体ケース表面に表示することが可能な画像形成装置を提供する。【解決手段】  ステップＳ１で、印刷指示があるかどうかを判断し、印刷指示があれば（ステップＳ１で「Ｙ」）、ステップＳ２で上記自己情報記憶領域から上記設定情報を読出し、ステップＳ３でその設定情報に予め対応付けられた取付領域のレイアウト情報をレイアウト情報記憶領域から読み出す。そして、ステップＳ４でレイアウト情報に基づきそれに対応する取付領域内に収まる所定のフォントサイズで自己情報を配置して印刷するための印刷用データを生成し、プリンタ３１に送る（ステップＳ５）。これにより、給紙カセット１４またはトレイ１６に載置された記録紙に対して印刷が実行される。【選択図】  図４
2005238496.tif 000002
【特許請求の範囲】
【請求項１】
本体ケースと、
自己に関する自己情報が記憶される自己情報記憶手段と、
前記自己情報記憶手段に記憶された前記自己情報を読み出して、前記本体ケースの表面上における取付対象領域内に収まる大きさで印刷可能な印刷用データとして出力する印刷データ出力手段と、
前記印刷データ出力手段からの印刷用データに基づき被印刷媒体上に前記自己情報の印刷を行う印刷手段とを備えた画像形成装置。
【請求項２】
前記取付対象領域に対応したレイアウト情報が記憶されたレイアウト情報記憶手段を備え、
前記印刷データ出力手段は、前記レイアウト情報記憶手段に記憶されたレイアウト情報に基づき前記自己情報を前記取付対象領域内に収まる大きさで印刷可能な印刷用データとして出力することを特徴とする請求項１記載の画像形成装置。
【請求項３】
前記被印刷媒体は、被印刷面の裏面側が粘着面になっているシール材と、その粘着面を覆う剥離材とから構成され、かつ、前記シール材は前記取付対象領域に対応した大きさの形状に抜き出し可能とされ、
前記印刷手段は、前記シール材のうち抜き出される領域内に前記自己情報を印刷することを特徴とする請求項１または請求項２に記載の画像形成装置。
【請求項４】
前記本体ケース表面には、前記自己情報が印刷され、かつ、前記取付対象領域に対応した大きさの形状とされた被印刷媒体を、当該取付対象領域に取り付けるための把持機構が設けられていることを特徴とする請求項１または請求項２に記載の画像形成装置。
【請求項５】
通信回線を介して他の通信端末と通信可能に接続される画像形成装置であって、
前記自己に関する自己情報は、前記他の通信端末においてこの画像形成装置を特定するために必要な自己特定情報であることを特徴とする請求項１ないし請求項４のいずれかに記載の画像形成装置。
【請求項６】
前記自己特定情報は、自己のＩＰアドレスまたは電話番号であることを特徴とする請求項５に記載の画像形成装置。
【請求項７】
前記取付対象領域は、その周囲部分に比べて凹状に陥没していることを特徴とする請求項１ないし請求項６のいずれかに記載の画像形成装置。
【請求項８】
前記本体ケース表面上において複数の前記取付対象領域から特定の取付対象領域を指定する領域指定手段が設けられ、
前記印刷データ出力手段は、前記領域指定手段で指定された取付対象領域に応じた大きさで印刷可能な印刷用データを出力することを特徴とする請求項１ないし請求項７のいずれかに記載の画像形成装置。
【請求項９】
前記自己情報の印刷動作は、当該自己情報の登録操作がされたことに基づき実行されることを特徴とする請求項１ないし請求項８のいずれかに記載の画像形成装置。
【請求項１０】
通信機能の設定に必要な自己情報が記憶される自己情報記憶手段と、
前記自己情報記憶手段に記憶された前記自己情報を読み出して、印刷処理可能な印刷用データとして出力する印刷データ出力手段と、
前記印刷データ出力手段からの印刷用データに基づき被印刷媒体上に前記自己情報の印刷を行う印刷手段とを備え、
前記自己情報の印刷動作は、当該自己情報の登録操作がされたことに基づき実行されることを特徴とする画像形成装置。
【請求項１１】
前記自己情報記憶手段には複数の自己情報が記憶され、
前記自己情報記憶手段に記憶された複数の前記自己情報から特定の自己情報を指定する自己情報指定手段が設けられ、
前記印刷データ出力手段は、前記自己情報指定手段で指定された自己情報を印刷用データとして出力することを特徴とする請求項１ないし請求項１０のいずれかに記載の画像形成装置。
【発明の詳細な説明】
【技術分野】
【０００１】
本発明は、画像形成装置に関する。
【背景技術】
【０００２】
例えば企業のオフィスでは、下記特許文献１などに示すように、複数の通信端末をプリンタとデータ通信可能に接続し、各通信端末から印刷要求され送信されたデータを上記プリンタで印刷するプリンタシステムが構成されている。
【特許文献１】特開２０００−２４２４５９公報
【発明の開示】
【発明が解決しようとする課題】
【０００３】
ところで、上記プリンタシステムにおいて、例えば新たな通信端末を増設する場合、この通信端末側で、上記プリンタのＩＰアドレスなどを設定入力しなければならない。この際、プリンタのＩＰアドレスを知るために、例えばプリンタ側で所定の操作を行って液晶表示部に上記ＩＰアドレスを表示させる方法がある。しかし、通常あまり使用されない機能であるため操作方法がわからず手間がかかるという問題があった。それ以外の方法として、上記プリンタのＩＰアドレスを書き写した付箋紙などをプリンタの本体ケース表面に張り付けておく方法があるが、書き写しミスがあったり、見映えが悪いなどといった問題が生じ得る。
【０００４】
本発明は上記のような事情に基づいて完成されたものであって、書き写しミスなく、見映えが比較的よい状態で自己関連情報等を本体ケース表面に表示することが可能な画像形成装置を提供することを目的とする。
【課題を解決するための手段】
【０００５】
上記の目的を達成するための手段として、請求項１の発明にかかる画像形成装置は、本体ケースと、自己に関する自己情報が記憶される自己情報記憶手段と、前記自己情報記憶手段に記憶された前記自己情報を読み出して、前記本体ケースの表面上における取付対象領域内に収まる大きさで印刷可能な印刷用データとして出力する印刷データ出力手段と、前記印刷データ出力手段からの印刷用データに基づき被印刷媒体上に前記自己情報の印刷を行う印刷手段とを備えたことを特徴とする。
【０００６】
なお、本発明で「自己に関する自己情報」には、例えば次のものが含まれる。
（ａ）画像形成装置が備える各種機能のための自己設定情報（例えば通信機能のための自己のＩＰアドレスや電話番号など）。
（ｂ）ファクシミリ機能を備えた画像形成装置の場合には、送信先とそのファクシミリ番号の短縮ダイヤルとの対応関係情報の設定情報など。
（ｃ）例えばファクシミリ機能に対し「ゼロ発信（ファクシミリ番号入力前に「０（ゼロ）」を入力する必要があること）」が必要である旨のメッセージなど、各種機能の取扱い事項や注意事項。
また、「取付対象領域」は、本体ケース表面のうち予め定められた専用領域であり、１箇所であっても複数箇所であってもよい。なお、この取付対象領域は、ユーザが視認し易い領域であることが望ましい。
「データ出力手段」は、例えば、次のいずれの構成であってもよい。
（ａ）非印刷用データ（上記印刷手段で印刷処理を行うために変換処理が必要なデータ）として記憶された自己情報を、印刷用データ（印刷手段で印刷処理可能なデータ）にデータ形式変換する処理を行って出力する構成。
（ｂ）非印刷用データとして記憶された自己情報を、印刷用データにデータ形式変換するとともに、上記取付対象領域内に収まる所定の大きさで印刷を行うための印刷用データにサイズ変換する処理を行って出力する構成。
（ｃ）もともと印刷用データとして自己情報記憶手段に記憶された自己情報を変換処理にせずにそのまま出力する構成。
（ｄ）もともと印刷用データとして自己情報記憶手段に記憶された自己情報を、上記取付対象領域内に収まる所定の大きさで印刷を行うための印刷用データにサイズ変換する処理を行って出力する構成。
「画像形成装置」は、記録媒体に画像形成を行うものであって、例えばプリンタ装置、ファクシミリ装置が含まれる。また、プリンタ機能、ファクシミリ機構やスキャナ機能を備えた複合機であってもよい。
【０００７】
請求項２の発明は、請求項１記載のものにおいて、前記取付対象領域に対応したレイアウト情報が記憶されたレイアウト情報記憶手段を備え、前記印刷データ出力手段は、前記レイアウト情報記憶手段に記憶されたレイアウト情報に基づき前記自己情報を前記取付対象領域内に収まる大きさで印刷可能な印刷用データとして出力することを特徴とする。
【０００８】
請求項３の発明は、請求項１または請求項２に記載のものにおいて、前記印刷媒体は、被印刷面の裏面側が粘着面になっているシール材と、その粘着面を覆う剥離材とから構成され、かつ、前記シール材は前記取付対象領域に対応した大きさの形状に抜き出し可能とされ、前記印刷手段は、前記シール材のうち抜き出される領域内に前記自己情報を印刷することを特徴とする。
【０００９】
請求項４の発明は、請求項１または請求項２に記載のものにおいて、前記本体ケース表面には、前記自己情報が印刷され、かつ、前記取付対象領域に対応した大きさの形状とされた被印刷媒体を、当該取付対象領域に取り付けるための把持機構が設けられていることを特徴とする。
【００１０】
請求項５の発明は、請求項１ないし請求項４のいずれかに記載のものにおいて、通信回線を介して他の通信端末と通信可能に接続される画像形成装置であって、前記自己に関する自己情報は、前記他の通信端末においてこの画像形成装置を特定するために必要な自己特定情報であることを特徴とする。
なお、上記「通信回線」には、ローカル・エリア・ネットワークなどのための専用回線であっても、公衆通信回線（インターネット、電話回線、ＩＳＤＮなど）であってもよい。また通信方式は無線、有線いずれであってもよい。
【００１１】
請求項６の発明は、請求項１ないし請求項５のいずれかに記載のものにおいて、前記自己情報は、自己のＩＰアドレスまたは電話番号であることを特徴とする。
【００１２】
請求項７の発明は、請求項１ないし請求項６のいずれかに記載のものにおいて、前記取付対象領域は、その周囲部分に比べて凹状に陥没していることを特徴とする。
【００１３】
請求項８の発明は、請求項１ないし請求項７のいずれかに記載のものにおいて、前記本体ケース表面上において複数の前記取付対象領域から特定の取付対象領域を指定する領域指定手段が設けられ、前記印刷データ出力手段は、前記領域指定手段で指定された取付対象領域に応じた大きさで印刷可能な印刷用データを出力することを特徴とする。
【００１４】
請求項９の発明は、請求項１ないし請求項８のいずれかに記載のものにおいて、前記自己情報の印刷動作は、当該自己情報の登録操作がされたことに基づき実行されることを特徴とする。
【００１５】
請求項１０の発明にかかる画像形成装置は、通信機能の設定に必要な自己情報が記憶される自己情報記憶手段と、前記自己情報記憶手段に記憶された前記自己情報を読み出して、印刷処理可能な印刷用データとして出力する印刷データ出力手段と、前記印刷データ出力手段からの印刷用データに基づき被印刷媒体上に前記自己情報の印刷を行う印刷手段とを備え、前記自己情報の印刷動作は、当該自己情報の登録操作がされたことに基づき実行されることを特徴とする。
なお、ここでいう「通信機能の設定に必要な自己情報」とは、例えば本発明の画像形成装置と通信回線を介して接続された端末装置において、当該画像形成装置とのデータ通信を可能とするための設定の際に必要となる画像形成装置自体の設定情報であって、例えばＩＰアドレスや電話番号などがある。
【００１６】
請求項１１の発明は、請求項１ないし請求項１０のいずれかに記載のものにおいて、前記自己情報記憶手段には複数の自己情報が記憶され、前記自己情報記憶手段に記憶された複数の前記自己情報から特定の自己情報を指定する自己情報指定手段が設けられ、前記印刷データ出力手段は、前記自己情報指定手段で指定された自己情報を印刷用データとして出力することを特徴とする。
【発明の効果】
【００１７】
＜請求項１の発明＞
本構成によれば、画像形成装置自体に関する自己情報が、本体ケース表面の取付対象領域内に収まる大きさで被印刷媒体上に印刷される。従って、この印刷された被印刷媒体を上記取付対象領域に取り付けることで、書き写しミスもなく、見映えが比較的よい状態で上記自己情報を本体ケース表面に表示させることができる。
【００１８】
＜請求項２の発明＞
本構成によれば、取付対象領域に対応したレイアウト情報がレイアウト情報記憶手段に記憶され、このレイアウト情報に基づき自己情報を当該レイアウト情報に対応する取付対象領域内に収まる大きさで印刷可能な印刷用データとして出力され、この印刷用データに基づき自己情報の印刷が行われる。
【００１９】
＜請求項３の発明＞
本構成によれば、シール材のうち上記取付対象領域に対応したサイズの抜き出し領域に自己情報が印刷されるため、その抜き出し部分をそのまま本体ケースの取付対象領域に貼り付けることで、容易に自己情報を本体ケース表面に表示させることができる。
【００２０】
＜請求項４の発明＞
本構成によれば、把持機構によって上記自己情報が印刷済みの被印刷媒体を本体ケース表面に取り付けることができるから、請求項３のようなシール材を有する被印刷媒体を使用する必要がない。また、シール材を有する被印刷媒体を印刷するための特殊な構成も必要がない。
【００２１】
＜請求項５及び請求項６の発明＞
例えばネットワークなどの通信回線に接続される画像形成装置では、各通信端末において、その画像形成装置とデータ通信を可能とするための設定に際し、上記画像形成装置を特定するための自己特定情報（ＩＰアドレスや電話番号）の確認が必要となる。従って、上記自己情報を自己特定情報（請求項６では、自己のＩＰアドレスまたは電話番号）として本発明を適用することは非常に有用である。
【００２２】
＜請求項７の発明＞
自己情報が印刷済みの被印刷媒体が、周囲部分より凹状に陥没した取付対象領域に取り付けられるから、上記周囲部分に比べて人などと接触しにくく当該被印刷媒体が本体ケース表面から容易に外れることを抑制することができる。また、取付対象領域が本体ケース表面上のどこにあるのかを容易に知ることができる。
【００２３】
＜請求項８の発明＞
本体ケース表面において自己情報を表示したい箇所は、画像形成装置の使用環境やユーザによって異なる場合があり、それらの箇所は大きさや形状が互いに異なる場合があり得る。そこで、本構成では、本体ケース表面上の複数の取付対象領域に対して、それぞれに応じた大きさで自己情報を被印刷媒体に印刷することができる構成とした。
【００２４】
＜請求項９の発明＞
本構成によれば、上記自己情報の印刷は、その自己情報の登録操作がされたことに基づき実行されるから、ユーザは、印刷された内容がどの情報に対応したものなのか容易に把握し易い。
【００２５】
＜請求項１０の発明＞
本構成によれば、通信機能の設定に必要な画像形成装置の自己情報を被印刷媒体上に印刷することができ、書き写しミスもなく、見映えが比較的よい状態で自己設定情報が印刷された印刷物を本体ケース表面に付することができる。しかも、上記自己情報の印刷は、その自己設定情報の登録操作がされたことに基づき実行されるから、ユーザは、印刷された内容がどの情報に対応したものなのか容易に把握し易い。
【００２６】
＜請求項１１の発明＞
本体ケース表面に表示したい自己情報は、画像形成装置の使用環境やユーザによって異なる場合がある。そこで、本構成では、複数の自己情報から特定の自己情報を指定して被印刷媒体に印刷することができる構成とした。
【発明を実施するための最良の形態】
【００２７】
＜実施形態１＞
以下、本発明の実施形態１を図１ないし図７によって説明する。
本実施形態に係る画像形成装置は、ファクシミリ装置１０であり、これには、ファクシミリ機能、スキャナ機能、コピー機能など各種の機能が備えられた多機能周辺装置（複合機）である。
【００２８】
１．ファクシミリ装置の外観構成
図１には、ファクシミリ装置１０の外観を示した全体図が示されている。なお、以下の説明では、ファクシミリ装置１０のうち同図上の白抜き矢印方向から見た面を前面として説明する。
同図に示すように、ファクシミリ装置１０の本体１１上部には、原稿が載置される原稿台（図示せず）を上方から覆うように原稿台カバー１２が一端部を中心に開閉可能に設けられている。この原稿台カバー１２は、原稿載置トレイ１２ａと自動原稿送り装置１２ｂとを備えている。ファクシミリ機能時に相手側の通信機へ送信する原稿やコピー機能時に複写されるコピー原稿は、この原稿載置トレイ１２ａから自動原稿送り装置１２ｂによって搬送され後述するスキャナ２８から画像データとして読み取られた後に、原稿載置トレイ１２ａと原稿台カバー１２との間に形成された原稿排出口１２ｃから排出されるようになっている。
【００２９】
本体１１の前面上部には、操作パネル１３が設けられ、この操作パネル１３の中央に種々の情報が表示される表示手段としてのＬＣＤ１３ａが配されている。また、操作パネル１３のうちＬＣＤ１３ａの右隣には、例えば送信先の電話番号やＦＡＸ番号を入力するためのテンキー１３ｂなどが配置され、左隣には、上記ＦＡＸ番号に対応する複数の短縮ダイヤルボタン１３ｃが配置されている。
【００３０】
また、本体１１の前面下方には、引出し状に開閉し複数枚の記録紙（被印刷媒体）を積層収容可能な記録紙カセット１４が設けられている。プリンタ機能時は、この記録紙カセット１４から供給され、後述するプリンタ３１によって印刷された記録紙が本体１１の前面中央部に形成された排紙トレイ１５上に排出されるようになっている。なお、トレイ１６は、、下端を軸に開閉する構成となっており、前方に突出した姿勢において複数枚の記録紙を積載することができる。このトレイ１６に積載された記録紙は、記録紙カセット１４に収容された記録紙同様、プリンタ３１へ供給され、印刷が施された後、排紙トレイ１５から排出される。
なお、本実施形態では、原稿台カバー１２を含め本体１１全体を覆うケースが本発明の「本体ケース」に相当する。
【００３１】
２．ファクシミリ装置の電気的構成
図２には、ファクシミリ装置１０の電気的構成を示したブロック図が示されている。このファクシミリ装置１０には、ＣＰＵ２０、ＲＯＭ２１、不揮発性メモリとしてのＥＥＰＲＯＭ２２、ＲＡＭ２３、音声ＬＳＩ２４、ネットワーク・コントロール・ユニット（以下、「ＮＣＵ２５」）、モデム２６、バッファ２７、スキャナ２８、符号化部２９、復号化部３０、プリンタ３１、操作パネル１３、アンプ３３、スピーカ３４、ネットワークＩ／Ｆ３９が備えられ、これらはバスライン３５を介して互いに接続されている。
【００３２】
このうち、ＮＣＵ２５は回線制御を行うためのものであり、ファクシミリ装置１０はこのＮＣＵ２５を介して電話回線３６に接続されている。ＮＣＵ２５は、交換機３７から送信される呼出信号や相手側通信機の電話番号等を受信すると共に、操作パネル１３上に設けられたボタンの操作に応じた発信時のダイヤル信号を交換機３７へ送信したりする。更に、ＮＣＵ２５は、通話時におけるアナログ音声信号の送受信を行うものである。
【００３３】
ＣＰＵ２０は、ＮＣＵ２５を介して送受信される各種信号に従って、バスライン３５により接続された各部を制御してファクシミリ動作や電話動作、即ち、データ通信を実行するものである。また、後述するようにデータ出力手段として機能する。
【００３４】
ＲＯＭ２１は、このファクシミリ装置１０で実行される制御プログラムなどを格納した書換不能なメモリである。また、ＥＥＰＲＯＭは、書換可能な不揮発性メモリであり、このＥＥＰＲＯＭ２２へ記憶されたデータは、ファクシミリ装置１０の電源オフ後も保持される。ＲＡＭ２３は、ファクシミリ装置１０の各動作の実行時に各種のデータを一時的に記憶するためのメモリであり、画像及び音声データ等が記憶される。このＲＡＭ２３は、バッテリーバックアップ機能を備えており、ファクシミリ装置１０の電源オフ後も、ＲＡＭ２３に記憶されたデータは所定期間保持される。
【００３５】
音声ＬＳＩ２４は、ＮＣＵ２５によって受信したアナログ音声信号をデジタル音声信号に変換する処理と、ファクシミリ装置１０の内部で生成されたデジタル音声信号をアナログ音声信号に変換して、ＮＣＵ２５やスピーカ３４（アンプ３３）へ出力する処理とを行うためのものである。
【００３６】
モデム２６は、画情報を変調及び復調して伝送すると共に伝送制御用の各種手順信号を送受信するためのものである。また、バッファ２７は、相手側通信機（例えばファクシミリ装置）との間で送受信される符号化された画情報を含むデータを一時的に格納するためのものである。スキャナ２８は、原稿載置トレイ１２ａ或いは原稿台カバー１２を開けたところにある原稿台（図示せず）に載置された原稿を画像データとして読み取るためのものである。
【００３７】
符号化部２９は、スキャナ２８により読み取られた画像データの符号化を行うものである。一方、復号化部３０は、ＲＡＭ２３に記憶された画像データを読み出して、これを画像形成用データに変換するものであり（復号化するものであり）、復号化されたデータは変換処理後にプリンタ３１（本発明の「印刷手段」に相当）により記録紙に印刷される。
【００３８】
操作パネル１３は、ユーザーがこのファクシミリ装置１０の設定等を行う場合に各種の操作を行うためのものであり、アンプ３３は、このアンプ３３に接続されたスピーカ３４を鳴動して、呼出音や音声を出力するためのものである。ネットワークＩ／Ｆ（ネットワークインターフェース）３９は、ＬＡＮ５０を介した通信を実現するためのものであり、ＬＡＮ５０に接続された他の通信端末（図示せず）と、例えばメールの送受信などを行うためのものである。
【００３９】
このように構成されたファクシミリ装置１０は、ＮＣＵ２５を介して電話回線３６に接続されている。この電話回線３６は、交換機３７に接続され、この交換機３７は電話回線３８を介して他の交換機３７に接続されている。なお、他の交換機３７は、更に、電話回線を介して相手側通信機などの他の装置に接続されている。
【００４０】
３．自己情報印刷
さて、本実施形態のファクシミリ装置１０は、当該ファクシミリ装置１０自体の自己情報を予め定められた取付対象領域に収まる大きさで印刷するための機能を備えている。
（１）自己情報
ここで、本実施形態では、上記自己情報は、このファクシミリ装置１０に設定される種々の設定情報や取扱い上の留意事項である。具体的には、次のものがある。
（ａ）他の通信端末との通信を行うために本ファクシミリ装置１０を特定するための自己特定情報（例えばファクシミリ装置１０自体のＩＰアドレス、電話番号、ＦＡＸ番号）。
（ｂ）各種機能のための設定情報（例えば各送信先名とそのファクシミリ番号の短縮ダイヤルとの対応関係情報）。
（ｃ）各種機能の取扱い上の留意事項（例えば”ゼロ発信”（ファクシミリ番号入力前に「０（ゼロ）」を入力する必要があることが必要である旨のメッセージ）。
なお、上記（ａ）（ｂ）については設定操作されることで例えば不揮発性メモリとしてのＥＥＰＲＯＭ２２に記憶される。また、（ｃ）については例えば製造者側で予めＥＥＰＲＯＭ２２に記憶される。従って、これらの自己情報が記憶されるＥＥＰＲＯＭ２２の一領域が本発明の「自己情報記憶手段」に相当する。以下、この記憶領域を「自己情報記憶領域」という。
【００４１】
（２）取付対象領域
また、本実施形態では、上記取付対象領域の１つが、例えば自動原稿送り装置１２ｂのカバーの側面に設けられている。この取付対象領域は、全体として略扇状をなし、周囲部分より一段凹んでいる。以下、この凹んだ底面部分を「第１取付領域４０」という。また、上記短縮ダイヤルボタン１３ｃが配された矩形状の領域も取付対象領域となっている。以下、この領域を「第２取付領域４１」という。
【００４２】
（３）レイアウト情報
また、例えば上記ＥＥＰＲＯＭ２２の一記憶領域には、第１及び第２取付領域４０，４１のそれぞれに対応するレイアウト情報が記憶されている。以下、この記憶領域を「レイアウト情報記憶領域」という。このレイアウト情報は、図３に示すように、各取付領域４０，４１を特定するための特定情報（領域名など）それぞれに対応付けて、各取付領域４０，４１の外形に関する枠情報と、上記自己情報のフォントサイズと、自己情報を上記枠内でどのように配置するかに関する配置データとが記憶されている。なお、フォントサイズは、各取付領域４０，４１内に収まる最適な大きさに予め設定されている。勿論、操作パネル１３での所定の操作によってフォントサイズを変更可能としてもよい。
【００４３】
（４）印刷動作
次に、自己情報を印刷する際の動作について説明する。
例えば、ユーザが操作パネル上で各機能の設定メニューで設定情報を入力して登録操作（確定操作）を行うと、ＣＰＵ２０は、例えばその設定情報の印刷を行うかどうかを選択するための画面をＬＣＤ１３ａに表示させるとともに、図４のフローチャートに示す制御を実行する。まず、ステップＳ１で、印刷指示があるかどうかを判断し、印刷指示があれば（ステップＳ１で「Ｙ」）、ステップＳ２で上記自己情報記憶領域から上記設定情報を読出し、ステップＳ３でその設定情報に予め対応付けられた取付領域のレイアウト情報をレイアウト情報記憶領域から読み出す。そして、ステップＳ４でレイアウト情報に基づきそれに対応する取付領域内に収まる所定のフォントサイズで自己情報を配置して印刷するための印刷用データを生成し、プリンタ３１に送る（ステップＳ５）。これにより、給紙カセット１４またはトレイ１６に載置された記録紙に対して印刷が実行される。なお、印刷指示がなければ（ステップＳ１で「Ｎ」）、このまま当該設定メニューが終了する。
【００４４】
具体的には、例えば、ユーザがファクシミリ装置１０自体のＩＰアドレス及びＦＡＸ番号を設定入力をして登録操作をし、印刷指示操作を行うと、自己情報記憶領域からＩＰアドレス及びＦＡＸ番号が読み出される。なお、上記登録操作後、印刷指示操作なしでＩＰアドレス及びＦＡＸ番号が読み出される構成であってもよい。そして、これらのＩＰアドレス及びＦＡＸ番号には予め上記第１取付領域４０が対応付けられており、この第１取付領域４０に対応するレイアウト情報（第１取付領域４０の形状・大きさに対応した枠データ１，１０ｐ，配置データ１）がレイアウト情報記憶手段から読み出され、図５に示すように、第１取付領域４０に収まる大きさで配置されたＩＰアドレス及びＦＡＸ番号が記録紙に印刷される。
【００４５】
ここで、本実施形態では、上記自己情報を印刷するための専用紙４２が例えばファクシミリ装置１０とともに提供されている。この専用紙４２は、図５に示すように、被印刷面の裏面側が粘着面になっているシール紙４２ａと、その粘着面を覆う剥離紙４２ｂとから構成され、かつ、シール紙４２ａは第１取付領域４０に対応した大きさの形状に抜き出せるように予め切断されている。この専用紙４２を例えばトレイ１６に載置すれば、同図に示すように上記抜出可能領域４２ｃに所定の大きさ及び配置でＩＰアドレス及びＦＡＸ番号が印刷される。従って、この抜出可能領域４２ｃ部分のシール紙を自動原稿送り装置１２ｂのカバーの側面に形成された第１取付領域４０に張り付けることで、比較的に見映えよくＩＰアドレス及びＦＡＸ番号をファクシミリ装置１０に表示させることができる（図６参照）。
【００４６】
また、例えば、ユーザが送信先のＦＡＸ番号の短縮ダイヤルを設定し登録操作して印刷指示操作を行うと、各短縮ダイヤルに対応する送信先名情報が自己情報記憶領域から読み出され、これに予め対応付けられた第２取付領域のレイアウト情報（第２取付領域４１の形状・大きさに対応した枠データ２，３ｐ，配置データ２）がレイアウト情報記憶手段から読み出され、図７に示すように、第２取付領域４１に収まる大きさで配列された各送信先名が記録紙に印刷される。この記録紙もやはりシール紙と剥離紙からなる専用紙４３であって、予め第２取付領域４１の同じ矩形状の領域が抜き出し可能とされ、この抜出可能領域４３ａには、予め第２取付領域４１に配された各短縮ダイヤルボタン１３ｃに対応した位置に穴４３ｂが形成されている。そして、各送信先名は、その短縮ダイヤルボタン１３ｃに対応する穴４３ｂに近接した位置にそれぞれ印刷される。従って、この抜出可能領域４３ａ部分のシール紙を第２取付領域４１に張り付けることで、比較的に見映えよく各短縮ダイヤルボタン１３ｃの送信先名をファクシミリ装置１０に表示させることができる。
【００４７】
４．本実施形態の効果
（１）本実施形態によれば、ファクシミリ装置１０自体に関する自己情報（ＩＰアドレス及びＦＡＸ番号、短縮ダイヤルの送信先名）が、本体１１のケース表面の第１及び第２取付領域４０，４１にそれぞれ収まる大きさで専用紙４２，４３上に印刷される。従って、この印刷された専用紙４２，４３の抜出可能領域部分４２ｃ，４３ａのシール紙を第１及び第２取付領域４０，４１に貼り付けることで、書き写しミスもなく、見映えが比較的よい状態で上記自己情報を本体１１のケース表面に表示させることができる。
【００４８】
（２）また、各通信端末において、ファクシミリ装置１０とデータ通信を可能とするための設定に際し、ファクシミリ装置１０を特定するためのＩＰアドレスやＦＡＸ番号の確認が必要となる。従って、上記自己情報を自己のＩＰアドレス等として本発明を適用することは非常に有用である。
【００４９】
（３）また、ＩＰアドレス及びＦＡＸ番号が印刷された抜出可能領域部分４２ｃのシール紙は、周囲部分より凹状に陥没した第１取付領域４０に貼り付けられるから、上記周囲部分に比べて人などと接触しにくく当該シール紙が本体１１のケース表面から容易に外れることを抑制することができる。また、シール紙を貼り付ける際に、第１取付領域が本体１１のケース表面上のどこにあるのかを容易に知ることができる。
【００５０】
（４）更に、上記自己情報の印刷は、その自己情報の登録操作がされたことに基づき実行されるから、ユーザは、印刷された内容がどの情報に対応したものなのか容易に把握し易い。
【００５１】
＜実施形態２＞
図８〜図１０は（請求項４の発明に対応する）実施形態２を示す。前記実施形態との相違は、自己情報が印刷された被印刷媒体を本体１１に取り付けるための構成にあり、その他の点は前記実施形態１と同様である。従って、実施形態１と同一符号を付して重複する説明を省略し、異なるところのみを次に説明する。
【００５２】
本実施形態では、例えば図８に示すように、本体１１の側面に、自己情報を取り付けるための把持機構５０が設けられている。この把持機構５０は全体としてコの字状をなすフレーム部材５２であって、その内面に溝５２ａが全長に亘って形成されたものである（図１０参照）。一方、自己情報（ＩＰアドレス及びＦＡＸ番号）は、図９に示すように、上記実施形態１のようなシール紙を有する専用紙ではなく一般の記録紙５１上において、上記把持機構５０が形成された第３取付領域５３に対応した矩形領域部分５１ａに印刷される。そして、この矩形領域部分５１ａを切り抜いて、図１０に示すように把持機構５０のフレーム部材５２に対して開放側から挿入することで、自己情報が印刷された矩形領域部分５１ａの記録紙を本体１１に表示させることができる。
【００５３】
このような構成によれば、把持機構５０によって上記自己情報が印刷済みの矩形領域部分５１ａの記録紙を本体１１のケース表面に取り付けることができるから、上記実施形態１のようなシール材を有する専用紙４２，４３を使用する必要がない。また、このような専用紙４２，４３を印刷するための特殊な構成も必要がない。
【００５４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本体１１のケース表面において自己情報を表示したい箇所は、ファクシミリ装置１０の使用環境やユーザによって異なる場合がある。例えば、上記第１取付領域４０に表示させたい場合と、第３取付領域５３に表示させたい場合がある。そこで、図４中のステップＳ１の後に、表示させたい取付領域（例えば第１取付領域４０または第３取付領域５３）を指定させる画面をＬＣＤ１３ａに表示させ、そこで指定された取付領域に対応するレイアウト情報を読み出して印刷用データを生成する構成（請求項８の構成に相当）であってもよい。従って、このときＣＰＵ２０は本発明の「領域指定手段」として機能する。
【００５５】
（２）上記各実施形態では、自己情報の登録操作の際に印刷動作を行う構成であったが、例えばユーザが操作パネル１３で所定の操作を行うことで、複数の自己情報から特定の自己情報を指定するための画面をＬＣＤ１３ａに表示させ、この指定操作がされたときに図４に示す制御を実行する構成（請求項１１の構成に相当）であってもよい。従って、このときＣＰＵ２０は本発明の「自己情報指定手段」として機能する。
【００５６】
（３）上記実施形態２では、自己情報を一般の記録紙５１に印刷する構成としたが、これに限らず、矩形領域が予めミシン目で区画された専用紙であってもよい。
【００５７】
（４）なお、上記印刷指示や登録操作は、例えばファクシミリ装置１０に通信可能に接続されたコンピュータ（図示せず）からドライバ経由で行う構成であってもよい。
【図面の簡単な説明】
【００５８】
【図１】本発明の実施形態１に係るファクシミリ装置の斜視図
【図２】その電機的構成図
【図３】レイアウト情報記憶領域のデータ構造を示す模式図
【図４】印刷動作を示すフローチャート
【図５】ＩＰアドレス等が印刷された専用紙を示した図
【図６】ＩＰアドレス等が印刷された専用紙が貼り付けられた自動原稿送り装置部分の斜視図
【図７】短縮ダイヤルの送信先名が印刷された専用紙を示した図
【図８】実施形態２に係るファクシミリ装置の斜視図
【図９】ＩＰアドレス等が印刷された記録紙を示した図
【図１０】把持機構を示す斜視図
【符号の説明】
【００５９】
１０…ファクシミリ装置（画像形成装置）
１１…本体
２０…ＣＰＵ（データ出力手段、自己情報指定手段、領域指定手段）
２２…ＥＥＰＲＯＭ（自己情報記憶手段、レイアウト情報記憶手段）
３１…プリンタ（印刷手段）
４０，４１，５３…取付領域（取付対象領域）
４２，４３…専用紙（被印刷媒体）
４２ａ…シール紙
４２ｂ…剥離紙
４２ｃ，４３ａ…抜出可能領域部分
５０…把持機構
５１…記録紙（被印刷媒体）
５１ａ…矩形領域部分
【図１】
2005238496.tif 000003
【図２】
2005238496.tif 000004
【図３】
2005238496.tif 000005
【図４】
2005238496.tif 000006
【図５】
2005238496.tif 000007
【図６】
2005238496.tif 000008
【図７】
2005238496.tif 000009
【図８】
2005238496.tif 000010
【図９】
2005238496.tif 000011
【図１０】
2005238496.tif 000012